(57)【要約】      （修正有）【課題】ユーザが記録媒体中の複数元動画データの内容把握を速やかに行うことができる動画処理装置、動画処理方法、並びにプログラムを提供する。【解決手段】ダイジェスト動画生成装置１００は、記録媒体２０１中の元動画データのビデオデータをダイジェスト化したダイジェスト動画用ビデオデータを生成するビデオダイジェスト化回路２０７と、上記ダイジェスト動画用ビデオデータに元動画データのファイル名を重畳するスーパーインポーズ回路２０６と、上記ファイル名がスーパーインポーズされたダイジェスト動画用ビデオデータをその元動画データについてのチャプタ管理情報に基づきフォーマット化してダイジェスト動画データを作成するフォーマット化回路２１３とを備える。【選択図】図１
2006050087.tif 000002
【特許請求の範囲】
【請求項１】
それぞれ異なるシーンを示す複数の動画像データを記録媒体から再生する再生手段と、
前記再生手段により再生された複数の動画像データからそれぞれ一部の動画像データを抽出する抽出手段と、
前記複数の動画像データに係る名称をテキストとして前記各シーンの動画像に重畳して表示するための付加情報を生成する付加情報生成手段と、
前記抽出手段により抽出された複数の前記一部の動画像データと前記付加情報生成手段により生成された付加情報とを合成し、前記複数の動画像データのダイジェスト画像を示すダイジェスト画像データを生成するダイジェスト生成手段とを備えることを特徴とする動画処理装置。
【請求項２】
前記付加情報は前記名称を示すテキスト情報であり、前記生成手段は前記複数の一部の動画像データに対し、前記複数の動画像データに対応した前記テキスト情報を多重することにより前記ダイジェスト画像データを生成することを特徴とする請求項１記載の動画処理装置。
【請求項３】
前記ダイジェスト生成手段は更に、前記ダイジェスト画像データに係る管理情報内に前記付加情報を格納し、当該管理情報内に格納された前記付加情報を前記ダイジェスト画像データに付加することを特徴とする請求項１記載の動画処理装置。
【請求項４】
前記付加情報生成手段は、前記再生手段により再生された動画像データに付加された情報に基づいて前記名称を検出することを特徴とする請求項１乃至３のいずれか１項に記載の動画処理装置。
【請求項５】
前記複数の動画像データはそれぞれファイル形式で記録されており、前記名称は、前記動画像データのファイル名であることを特徴とする請求項１乃至３のいずれか１項に記載の動画処理装置。
【請求項６】
前記名称は、前記動画像データに対して任意に付加されたタイトル名であることを特徴とする請求項１乃至３のいずれか１項に記載の動画処理装置。
【請求項７】
前記付加情報はキャプション情報であることを特徴とする請求項１記載の動画処理装置。
【請求項８】
前記付加情報生成手段は、
前記ダイジェスト画像データの画面サイズに応じて、前記名称を示すテキストの表示サイズを設定することを特徴とする請求項１乃至７のいずれか１項に記載の動画処理装置。
【請求項９】
前記ダイジェスト生成手段は更に、
前記ダイジェスト画像データにおけるシーンの切り替えに同期して場面転換効果を付加することを特徴とする請求項１乃至８のいずれか１項に記載の動画処理装置。
【請求項１０】
前記ダイジェスト生成手段は、
前記ダイジェスト画像データにおけるシーンの切り替えに同期して場面転換を示すシンボルを重畳することを特徴とする請求項１乃至８のいずれか１項に記載の動画処理装置。
【請求項１１】
前記ダイジェスト生成手段により生成されたダイジェスト画像データを、伝送路を介して外部装置に送信する送信手段を備えたことを特徴とする請求項１記載の動画処理装置。
【請求項１２】
それぞれ異なるシーンを示す複数の動画像データを記録媒体から再生する再生ステップと、
前記再生ステップにより再生された複数の動画像データからそれぞれ一部の動画像データを抽出する抽出ステップと、
前記複数の動画像データに係る名称をテキストとして前記各シーンの動画像に重畳して表示するための付加情報を生成する付加情報生成ステップと、
前記抽出ステップにより抽出された複数の前記一部の動画像データと前記付加情報生成ステップにより生成された付加情報とを合成し、前記複数の動画像データのダイジェスト画像を示すダイジェスト画像データを生成するダイジェスト生成ステップとを備えることを特徴とする動画処理方法。
【請求項１３】
前記付加情報は前記名称を示すテキスト情報であり、前記生成手段は前記複数の一部の動画像データに対し、前記複数の動画像データに対応した前記テキスト情報を多重することにより前記ダイジェスト画像データを生成することを特徴とする請求項１２記載の動画処理方法。
【請求項１４】
前記ダイジェスト生成ステップは更に、前記ダイジェスト画像データに係る管理情報内に前記付加情報を格納し、当該管理情報内に格納された前記付加情報を前記ダイジェスト画像データに付加することを特徴とする請求項１２記載の動画処理方法。
【請求項１５】
前記付加情報生成ステップは、前記再生ステップにより再生された動画像データに付加された情報に基づいて前記名称を検出することを特徴とする請求項１２乃至１４のいずれか１項に記載の動画処理方法。
【請求項１６】
前記複数の動画像データはそれぞれファイル形式で記録されており、前記名称は、前記動画像データのファイル名であることを特徴とする請求項１２乃至１４のいずれか１項に記載の動画処理方法。
【請求項１７】
前記名称は、前記動画像データに対して任意に付加されたタイトル名であることを特徴とする請求項１２乃至１４のいずれか１項に記載の動画処理方法。
【請求項１８】
前記付加情報はキャプション情報であることを特徴とする請求項１２記載の動画処理方法。
【請求項１９】
前記付加情報生成ステップは、
前記ダイジェスト画像データの画面サイズに応じて、前記名称を示すテキストの表示サイズを設定することを特徴とする請求項１２乃至１８のいずれか１項に記載の動画処理方法。
【請求項２０】
前記ダイジェスト生成ステップは更に、
前記ダイジェスト画像データにおけるシーンの切り替えに同期して場面転換効果を付加することを特徴とする請求項１２乃至１９のいずれか１項に記載の動画処理方法。
【請求項２１】
前記ダイジェスト生成ステップは、
前記ダイジェスト画像データにおけるシーンの切り替えに同期して場面転換を示すシンボルを重畳することを特徴とする請求項１２乃至１９のいずれか１項に記載の動画処理方法。
【請求項２２】
前記ダイジェスト生成ステップにより生成されたダイジェスト画像データを、伝送路を介して外部装置に送信する送信ステップを備えたことを特徴とする請求項１２記載の動画処理方法。
【請求項２３】
それぞれ異なるシーンを示す複数の動画像データを記録媒体から再生する再生モジュールと、
前記再生モジュールにより再生された複数の動画像データからそれぞれ一部の動画像データを抽出する抽出モジュールと、
前記複数の動画像データに係る名称をテキストとして前記各シーンの動画像に重畳して表示するための付加情報を生成する付加情報生成モジュールと、
前記抽出モジュールにより抽出された複数の前記一部の動画像データと前記付加情報生成モジュールにより生成された付加情報とを合成し、前記複数の動画像データのダイジェスト画像を示すダイジェスト画像データを生成するダイジェスト生成モジュールとを備えることを特徴とする動画処理実行プログラム。
【発明の詳細な説明】
【技術分野】
【０００１】
本発明は、動画処理装置、動画処理方法、並びにプログラムに関し、特に記録媒体中の動画データを処理する際に、複数の動画データから要約を表すダイジェスト動画データを生成する動画処理装置、動画処理方法、並びにプログラムに関する。
【背景技術】
【０００２】
近年、データ記録媒体の大容量化と動画圧縮技術の進歩により、ディスク等のランダムアクセスメディアに動画データを記録する動画記録装置が一般化している。これらの動画記録装置は１枚の記録メディア上に多数の動画データを記録することができ、また、ランダムアクセス性を利用した高速な頭出しにより、目的の動画データに迅速にアクセスすることができるという利点を有する。
【０００３】
この利点を生かして、複数の動画データが１枚の記録メディアに記録されている場合に、この中からユーザが所望する動画データを簡単に検索することができる動画記録装置が従来より開示されている。
【０００４】
図１６は、従来の動画記録装置により実行されるサムネール一覧表示処理を説明するのに用いられる図である。
【０００５】
図１６において、記録媒体１５０１に複数の動画データ１５０１ａ，１５０１ｂ，１５０１ｃ  …  が記録されている場合に、各動画データから切り出した複数の画像データが縮小され、各動画データのサムネール画像データが作成される。さらに、この作成されたサムネール画像データは、表示装置１５０２に表示されるサムネール一覧画面１５０３の各動画データのサムネール画像表示部１５０２ａ〜１５０２ｇ上で順次切り替えて再生される。例えば、動画データ１５０１ａから切り出した複数の画像データから形成されたサムネール画像データは、サムネール画像表示部１５０２ａ上で順次切り替えて再生される。
【０００６】
ユーザは、サムネール一覧画面１５０３のサムネール表示部１５０２ａ〜１５０２ｇで再生された画像を見ることで、所望する動画データがどれか把握することができ、これにより記録媒体１５０１に記録された動画データの内容確認をすることができる（例えば、特許文献１参照）。
【０００７】
また、近年では、動画記録装置に記録された動画像をネットワークなどの伝送路を介して携帯端末に送信することで、様々な場所で動画像を再生、視聴可能とするシステムも考えられている。この場合は、図１５に示したサムネール一覧画面をまず携帯端末に送信し、携帯端末にてサムネール一覧画面を確認した後、所望の動画データの再生、送信を指示することになる。
【特許文献１】特開平１１−２８９５１７号公報
【発明の開示】
【発明が解決しようとする課題】
【０００８】
しかしながら、前述のサムネール画像は、動画データのごく一部の画像、例えば先頭部分の画面のみを抽出しているため、動画データ全体を把握することができない。
【０００９】
そこで、一つの動画データから抽出するサムネール画像の数を増やせば、内容を把握しやすくなるが、このようなサムネール一覧画面を前述の如く伝送路を介して携帯端末に送信し、携帯端末上で表示しようとした場合、携帯端末の表示画面は一般のテレビモニタに比べて極めて小さく、一画面上に多くのサムネールを表示することができない。
【００１０】
そのため、ユーザが携帯端末にて表示するサムネール画像の表示画面を切り替えるなど、非常に手間がかかる。この様な手間を少なくするためには、サムネール画面の数を減らせばよいが、そうすると動画データの内容を把握することが困難になってしまうという問題があった。
【００１１】
本発明の目的は、ユーザが記録媒体中の複数動画の内容把握を速やかに行うことができる動画処理装置、動画処理方法、並びにプログラムを提供することにある。
【課題を解決するための手段】
【００１２】
上記目的を達成するために、請求項１記載の動画処理装置は、それぞれ異なるシーンを示す複数の動画像データを記録媒体から再生する再生手段と、前記再生手段により再生された複数の動画像データからそれぞれ一部の動画像データを抽出する抽出手段と、前記複数の動画像データに係る名称をテキストとして前記各シーンの動画像に重畳して表示するための付加情報を生成する付加情報生成手段と、前記抽出手段により抽出された複数の前記一部の動画像データと前記付加情報生成手段により生成された付加情報とを合成し、前記複数の動画像データのダイジェスト画像を示すダイジェスト画像データを生成するダイジェスト生成手段とを備えることを特徴とする。
【００１３】
請求項２記載の動画処理装置は、請求項１記載の動画処理装置において、前記付加情報は前記名称を示すテキスト情報であり、前記生成手段は前記複数の一部の動画像データに対し、前記複数の動画像データに対応した前記テキスト情報を多重することにより前記ダイジェスト画像データを生成することを特徴とする。
【００１４】
請求項３記載の動画処理装置は、請求項１記載の動画処理装置において、前記ダイジェスト生成手段は更に、前記ダイジェスト画像データに係る管理情報内に前記付加情報を格納し、当該管理情報内に格納された前記付加情報を前記ダイジェスト画像データに付加することを特徴とする。
【００１５】
請求項４記載の動画処理装置は、請求項１乃至３のいずれか１項に記載の動画処理装置において、前記付加情報生成手段は、前記再生手段により再生された動画像データに付加された情報に基づいて前記名称を検出することを特徴とする。
【００１６】
請求項５記載の動画処理装置は、請求項１乃至３のいずれか１項に記載の動画処理装置において、前記複数の動画像データはそれぞれファイル形式で記録されており、前記名称は、前記動画像データのファイル名であることを特徴とする。
【００１７】
請求項６記載の動画処理装置は、請求項１乃至３のいずれか１項に記載の動画処理装置において、前記名称は、前記動画像データに対して任意に付加されたタイトル名であることを特徴とする。
【００１８】
請求項７記載の動画処理装置は、請求項１乃至３のいずれか１項に記載の動画処理装置において、前記付加情報はキャプション情報であることを特徴とする。
【００１９】
請求項８記載の動画処理装置は、請求項１乃至７のいずれか１項に記載の動画処理装置において、前記付加情報生成手段は、前記ダイジェスト画像データの画面サイズに応じて、前記名称を示すテキストの表示サイズを設定することを特徴とする。
【００２０】
請求項９記載の動画処理装置は、請求項１乃至８のいずれか１項に記載の動画処理装置において、前記ダイジェスト生成手段は更に、前記ダイジェスト画像データにおけるシーンの切り替えに同期して場面転換効果を付加することを特徴とする。
【００２１】
請求項１０記載の動画処理装置は、請求項１乃至８のいずれか１項に記載の動画処理装置において、前記ダイジェスト生成手段は、前記ダイジェスト画像データにおけるシーンの切り替えに同期して場面転換を示すシンボルを重畳することを特徴とする。
【００２２】
請求項１１記載の動画処理装置は、請求項１記載の動画処理装置において、前記ダイジェスト生成手段により生成されたダイジェスト画像データを、伝送路を介して外部装置に送信する送信手段を備えたことを特徴とする。
【００２３】
上記目的を達成するために、請求項１２記載の動画処理方法は、それぞれ異なるシーンを示す複数の動画像データを記録媒体から再生する再生ステップと、前記再生ステップにより再生された複数の動画像データからそれぞれ一部の動画像データを抽出する抽出ステップと、前記複数の動画像データに係る名称をテキストとして前記各シーンの動画像に重畳して表示するための付加情報を生成する付加情報生成ステップと、前記抽出ステップにより抽出された複数の前記一部の動画像データと前記付加情報生成ステップにより生成された付加情報とを合成し、前記複数の動画像データのダイジェスト画像を示すダイジェスト画像データを生成するダイジェスト生成ステップとを備えることを特徴とする。
【００２４】
請求項１３記載の動画処理方法は、請求項１２記載の動画処理方法において、前記付加情報は前記名称を示すテキスト情報であり、前記生成手段は前記複数の一部の動画像データに対し、前記複数の動画像データに対応した前記テキスト情報を多重することにより前記ダイジェスト画像データを生成することを特徴とする。
【００２５】
請求項１４記載の動画処理方法は、請求項１２記載の動画処理方法において、前記ダイジェスト生成ステップは更に、前記ダイジェスト画像データに係る管理情報内に前記付加情報を格納し、当該管理情報内に格納された前記付加情報を前記ダイジェスト画像データに付加することを特徴とする。
【００２６】
請求項１５記載の動画処理方法は、請求項１２乃至１４のいずれか１項に記載の動画処理方法において、前記付加情報生成ステップは、前記再生ステップにより再生された動画像データに付加された情報に基づいて前記名称を検出することを特徴とする。
【００２７】
請求項１６記載の動画処理方法は、請求項１２乃至１４のいずれか１項に記載の動画処理方法において、前記複数の動画像データはそれぞれファイル形式で記録されており、前記名称は、前記動画像データのファイル名であることを特徴とする。
【００２８】
請求項１７記載の動画処理方法は、請求項１２乃至１４のいずれか１項に記載の動画処理方法において、前記名称は、前記動画像データに対して任意に付加されたタイトル名であることを特徴とする。
【００２９】
請求項１８記載の動画処理方法は、請求項１２乃至１４のいずれか１項に記載の動画処理方法において、前記付加情報はキャプション情報であることを特徴とする。
【００３０】
請求項１９記載の動画処理方法は、請求項１２乃至１８のいずれか１項に記載の動画処理方法において、前記付加情報生成ステップは、前記ダイジェスト画像データの画面サイズに応じて、前記名称を示すテキストの表示サイズを設定することを特徴とする。
【００３１】
請求項２０記載の動画処理方法は、請求項１２乃至１９のいずれか１項に記載の動画処理方法において、前記ダイジェスト生成ステップは更に、前記ダイジェスト画像データにおけるシーンの切り替えに同期して場面転換効果を付加することを特徴とする。
【００３２】
請求項２１記載の動画処理方法は、請求項１２乃至１９のいずれか１項に記載の動画処理方法において、前記ダイジェスト生成ステップは、前記ダイジェスト画像データにおけるシーンの切り替えに同期して場面転換を示すシンボルを重畳することを特徴とする。
【００３３】
請求項２２記載の動画処理方法は、請求項１２項に記載の動画処理方法において、前記ダイジェスト生成ステップにより生成されたダイジェスト画像データを、伝送路を介して外部装置に送信する送信ステップを備えたことを特徴とする。
【００３４】
上記目的を達成するために、請求項２３記載のプログラムは、それぞれ異なるシーンを示す複数の動画像データを記録媒体から再生する再生モジュールと、前記再生モジュールにより再生された複数の動画像データからそれぞれ一部の動画像データを抽出する抽出モジュールと、前記複数の動画像データに係る名称をテキストとして前記各シーンの動画像に重畳して表示するための付加情報を生成する付加情報生成モジュールと、前記抽出モジュールにより抽出された複数の前記一部の動画像データと前記付加情報生成モジュールにより生成された付加情報とを合成し、前記複数の動画像データのダイジェスト画像を示すダイジェスト画像データを生成するダイジェスト生成モジュールとを備えることを特徴とする。
【発明の効果】
【００３５】
請求項１記載の動画処理装置、請求項１２記載の動画処理方法、並びに請求項２３のプログラムによれば、記録媒体から再生された複数の動画像データから抽出された複数の一部の動画像データと、複数の動画像データに係る名称をテキストとして各シーンの動画像に重畳して表示するために生成された付加情報とを合成し、複数の動画像データのダイジェスト画像を示すダイジェスト画像データを生成するので、ユーザが記録媒体中の元動画データの内容把握を速やかに行うことができる。
【００３６】
請求項２記載の動画処理装置及び請求項１３記載の動画処理方法によれば、付加情報は名称を示すテキスト情報であり、上記複数の一部の動画像データに対し、複数の動画像データに対応したテキスト情報を多重することによりダイジェスト画像データを生成するので、ユーザが記録媒体中の元動画データの内容把握を速やかに行うことが確実にできる。
【００３７】
請求項３記載の動画処理装置及び請求項１４記載の動画処理方法によれば、ダイジェスト画像データに係る管理情報内に付加情報を格納し、この管理情報内に格納された付加情報をダイジェスト画像データに付加するので、ユーザが記録媒体中の元動画データの内容把握を速やかに行うことが確実にできる。
【００３８】
請求項４記載の動画処理装置及び請求項１５記載の動画処理方法によれば、再生された動画像データに付加された情報に基づいて上記名称を検出するので、ユーザが記録媒体中の元動画データの内容把握を速やかに行うことがより確実にできる。
【００３９】
請求項５記載の動画処理装置及び請求項１６記載の動画処理方法によれば、複数の動画像データはそれぞれファイル形式で記録されており、上記名称は、動画像データのファイル名であるので、ユーザが記録媒体中の元動画データの内容把握を速やかに行うことがより確実にできる。
【００４０】
請求項６記載の動画処理装置及び請求項１７記載の動画処理方法によれば、上記名称は、動画像データに対して任意に付加されたタイトル名であるので、ユーザが記録媒体中の元動画データの内容把握を速やかに行うことがより確実にできる。
【００４１】
請求項７記載の動画処理装置及び請求項１８記載の動画処理方法によれば、上記付加情報はキャプション情報であるので、ユーザが記録媒体中の元動画データの内容把握を速やかに行うことができる。
【００４２】
請求項８記載の動画処理装置及び請求項１９記載の動画処理方法によれば、ダイジェスト画像データの画面サイズに応じて、上記名称を示すテキストの表示サイズを設定するので、表示サイズを縮小した場合にも重畳表示されたデータ名の視認性が悪くなるのを防止することができる。
【００４３】
請求項９記載の動画処理装置及び請求項２０記載の動画処理方法によれば、ダイジェスト画像データにおけるシーンの切り替えに同期して場面転換効果を付加するので、ユーザはダイジェスト化された元動画データの切り替わりを容易に視認することができる。
【００４４】
請求項１０記載の動画処理装置及び請求項２１記載の動画処理方法によれば、ダイジェスト画像データにおけるシーンの切り替えに同期して場面転換を示すシンボルを重畳するので、ユーザはダイジェスト化された元動画データの切り替わりを容易に視認することができる。
【００４５】
請求項１１記載の動画処理装置及び請求項２２記載の動画処理方法によれば、ダイジェスト画像データを、伝送路を介して外部装置に送信するので、外部装置に送信する伝送路の容量が限られている場合にも、ダイジェスト画像データのデータ量を確実に削減して、伝送することができる。
【発明を実施するための最良の形態】
【００４６】
以下、本発明の実施の形態を図面を用いて詳述する。
【００４７】
図１は、本発明の実施の形態に係る動画処理装置としてのダイジェスト動画生成装置の構成を概略的に示すブロック図である。
【００４８】
図１において、ダイジェスト動画生成装置１００は、本装置全体の制御を行うダイジェスト生成制御回路２０９と、複数の動画データ（以下「元動画データ」という。）を記録する記録媒体２０１と、記録媒体２０１に記録される複数の元動画データを逐次読み出すコンテンツ読み出し回路２０２と、コンテンツ読み出し回路２０２から送信された元動画データからビデオデータを復号するビデオ復号化回路２０４と、ビデオ復号化回路２０４で複合されたビデオデータからダイジェスト動画用ビデオデータを生成するビデオダイジェスト化回路２０７とを備える。ここで、記録媒体２０１には、撮影又は録画により取得する毎に、ファイル名がMOVIE_001.MPG、MOVIE_002.MPG、MOVIE_003.MPG  …  と順に付された元動画データが保持されている（図２）。
【００４９】
また、ダイジェスト動画生成装置１００は、コンテンツ読み出し回路２０２から送信された元動画データからオーディオデータを復号するオーディオ復号化回路２０５と、オーディオ復号化回路２０５で複合されたオーディオデータからダイジェスト動画用音声データを生成するオーディオダイジェスト化回路２０８とを備える。さらに、ダイジェスト動画生成装置１００は、コンテンツ読み出し回路２０２から送信された元動画データのファイル名を抽出して、テキストデータ化するファイル名抽出回路２０３と、ビデオダイジェスト化回路２０７で作成されたダイジェスト動画用ビデオデータにファイル名抽出回路２０３でテキストデータとしたファイル名を重畳するスーパーインポーズ回路２０６とを備える。
【００５０】
さらに、ダイジェスト動画生成装置１００は、スーパーインポーズ回路２０６でファイル名が重畳されたダイジェスト動画用ビデオデータを圧縮符号化するビデオ符号化回路２１０と、オーディオダイジェスト化回路２０８で生成されたダイジェスト動画用音声データを圧縮符号化するオーディオ符号化回路２１１と、ビデオ符号化回路２１０からの圧縮符号化された動画データ及びオーディオ符号化回路２１１からの圧縮符号化された音声データをデータ多重化する多重化回路２１２と、コンテンツ読み出し回路２０２で読み出された元動画データ毎のチャプタ管理情報を生成するチャプタ生成回路２１４と、多重化回路２１２で多重化されたデータをチャプタ生成回路２１４で生成されたチャプタ管理情報に基づき、記録又は伝送に必要な形式にフォーマット化してダイジェスト動画データ１０２（図２）を作成するフォーマット化回路２１３と、フォーマット化回路２１３からのダイジェスト動画データ１０２を伝送路の形式に応じて変換し、伝送路を介して不図示の表示装置に送信する送信回路２１５とを備える。
【００５１】
ダイジェスト生成制御回路２０９は、コンテンツ読み出し回路２０２、ビデオダイジェスト化回路２０７、オーディオダイジェスト化回路２０８及びチャプタ生成回路２１４と接続し、記録媒体２０１に記録されているどの元動画データをどのようなタイミングでファイル名抽出回路２０３、ビデオ復号化回路２０４、オーディオ復号化回路２０５に送信するかの指示をコンテンツ読み出し回路２０２に対して行い、またダイジェスト動画用ビデオデータをどのようなタイミングでスーパーインポーズ回路２０６に送信するかの指示をビデオダイジェスト化回路２０７に対して行い、さらにダイジェスト動画用音声データをどのようなタイミングでオーディオ符号化回路２１１に送信するかの指示をオーディオダイジェスト化回路２０８に対して行う。
【００５２】
図２に示すように、送信回路２１５から出力されるダイジェスト動画データ１０２は、チャプタ生成回路２１４で生成されたチャプタ管理情報に基づき生成される元動画データ毎のチャプタを有しており、各チャプタには、ファイル名がスーパーインポーズされたダイジェスト動画用ビデオデータが保持されている。
【００５３】
このダイジェスト動画データ１０２は、不図示の表示装置でそのデータを再生する時に、チャプタスキップができるよう構成されており、迅速に目的のチャプタ内に保持されているビデオデータを頭出し再生することができる。例えば、図２に示すように、チャプタ１にファイル名「MOVIE_001.MPG」がスーパーインポーズされたダイジェスト動画用ビデオデータが保持されているとき、チャプタ１にチャプタスキップされダイジェスト動画データ１０２が再生されると、不図示の表示装置には、ファイル名がMOVIE_001.MPGである元動画データのダイジェスト動画用ビデオデータを再生する動画再生部１０５と、このダイジェスト動画用ビデオデータにスーパーインポーズされたファイル名「MOVIE_001.MPG」を動画再生部１０５に多重表示するスーパーインポーズ部１０４とから成るダイジェスト動画１０３が表示される。また、動画再生部１０５で再生されるダイジェスト動画用ビデオデータと同期して、オーディオダイジェスト化回路２０８で生成されたダイジェスト動画用音声データが不図示のスピーカーで再生され、音声出力される。
【００５４】
図１及び図２に示すように、ダイジェスト動画生成装置１００で生成されるダイジェスト動画データ１０２のチャプタ１に保持されているデータを不図示の表示装置にて再生すると、チャプタ１に保持されたダイジェスト動画用ビデオデータが動画再生部１０５で再生され、このダイジェスト動画用ビデオデータにスーパーインポーズされたファイル名「MOVIE_001.MPG」が動画再生部１０５に多重表示されるスーパーインポーズ部１０４で表示されるので、ユーザが記録媒体２０１中の複数の元動画データの内容把握を速やかに行うことができる。
【００５５】
また、図２のスーパーインポーズ部１０４では、元動画データのファイル名を示すキャラクタ情報をそのまま動画再生部１０５に多重表示したが（図４（ａ））、これに限定されるものでなく、元動画データについてユーザ入力により付されたタイトル名を表示してもよく（図４（ｂ））、また、頭出ししてデータが再生されたチャプタ名を表示してもよい（図４（ｃ））。これにより、ユーザが記録媒体２０１中の複数の元動画データの内容把握を速やかに行うことができる（図２で説明するダイジェスト動画処理の第１の変形例）。
【００５６】
また、ビデオダイジェスト化回路２０７によるビデオデータのダイジェスト化は、ビデオ復号化回路２０４で複合化されたビデオデータから所定の長さの動画データを時間的に切り出すことにより行われる。例えば、図３（ａ）に示すファイル名が「MOVIE_001.MPG」の元動画データ３０２がダイジェスト化され、ダイジェスト動画データ１０２に最初に保持される場合、元動画データ３０２を再生した場合に表示される動画３０１のうち冒頭１分間分のデータがビデオダイジェスト化回路２０７により切り出され、この切り出されたデータがダイジェスト動画用ビデオデータ３０５となる。さらに、このダイジェスト動画用ビデオデータ３０５は、ダイジェスト動画データ１０２の最初のチャプタであるチャプタ１に保持される。これにより、ダイジェスト動画データ１０２を表示装置に送信する際に用いる伝送路の容量が限られている場合にも、ダイジェスト動画データ１０２のデータ量を確実に削減して、伝送することができる。尚、本実施の形態では、元動画データから切り出す部分を冒頭部としたが、これに限定されるものでなく、冒頭部以外の任意の部分や、所定時間おきの間歇切り出し等としてもよい。
【００５７】
また、ビデオダイジェスト化回路２０７によるビデオデータのダイジェスト化は、図３（ｂ）に示すように、動画再生部１０５に表示するダイジェスト用動画ビデオデータ５０１再生時の表示サイズを縮小することにより行ってもよい。この場合、この縮小率と同率でスーパーインポーズ部１０４で表示されるファイル名のフォントサイズを縮小すると、上記再生時の表示サイズの縮小率によっては、フォントサイズが小さくなり過ぎてファイル名の視認性が悪くなる。従って、図５のスーパーインポーズ部５０５のように、スーパーインポーズするファイル名のフォントサイズの縮小率を上記表示サイズと同率とせず、その視認性を考慮した率で縮小するよう設定してもよい。この表示サイズを縮小する方法によるビデオデータのダイジェスト化は、上述のビデオデータを時間的に切り出す方法と組み合わせてもよい（図２で説明するダイジェスト動画処理の第２の変形例）。
【００５８】
さらに、本実施の形態では、ダイジェスト動画データ１０２のデータ量の削減を、ビデオダイジェスト化回路２０７におけるビデオデータのダイジェスト化により行っているが、ビデオ符号化回路２１０で高い圧縮率で符号化を行う等、他の回路による削減処理と組み合わせてよい。尚、オーディオダイジェスト化については本発明の主眼でないため説明は省略するが、時間切り出しによりビデオデータをダイジェスト化する場合には対応する時間帯での音声データの切り出しが不可欠であり、オーディオダイジェスト化回路２０８においてこの切り出し処理が行われる。
【００５９】
図６は、図２で説明するダイジェスト動画処理の第３の変形例を説明するのに用いられる図であり、（ａ）は場面転換効果として画面遷移部６０１を表示する場合を示し、（ｂ）は、場面転換効果としてシンボル６０２を表示する場合を示す。
【００６０】
図６で説明するダイジェスト動画処理は、その構成が図２で説明するダイジェスト動画処理と基本的に同じであり、同じ構成要素については同一の符号を付して重複した説明を省略し、以下に異なる構成要素について説明する。
【００６１】
図６において、表示装置に再生されたダイジェスト動画用ビデオデータの転換に同期する場面転換効果を付加すべく、ダイジェスト動画データ１０２ａ（図６（ａ））はチャプタ間のつなぎ目に場面転換表示部６０２〜６０４を有し、ダイジェスト動画データ１０２ｂ（図６（ｂ））はチャプタ間のつなぎ目に場面転換表示部６０５〜６０７を有する。
【００６２】
例えば、チャプタ１にファイル名「MOVIE_001.MPG」がスーパーインポーズされたダイジェスト動画用ビデオデータが保持されているとき、チャプタ１にチャプタスキップされダイジェスト動画データ１０２ａが再生されると、図６（ａ）に示すように、不図示の表示装置には、ファイル名がMOVIE_001.MPGの元動画データのダイジェスト動画用ビデオデータを再生する動画再生部１０５と、このダイジェスト動画用ビデオデータにスーパーインポーズされたファイル名「MOVIE_001.MPG」を動画再生部１０５に多重表示するスーパーインポーズ部１０４とから成るダイジェスト動画１０３ａが表示される。
【００６３】
このダイジェスト動画１０３ａは、チャプタ１に保持されているデータの再生の終了時、即ち、チャプタ１と２のつなぎ目にある場面転換表示部６０２のデータが再生されたとき、場面転換効果として、動画再生部１０５の右端に画面遷移部６０１が表示される。
【００６４】
また、チャプタ２にファイル名「MOVIE_002.MPG」がスーパーインポーズされたダイジェスト動画用ビデオデータが保持されているとき、チャプタ２にチャプタスキップされダイジェスト動画データ１０２ｂが再生されると、図６（ｂ）に示すように、不図示の表示装置には、ファイル名がMOVIE_002.MPGの元動画データのダイジェスト動画用ビデオデータを再生する動画再生部１０５と、このダイジェスト動画用ビデオデータにスーパーインポーズされたファイル名「MOVIE_002.MPG」を動画再生部１０５に多重表示するスーパーインポーズ部１０４とから成るダイジェスト動画１０３ｂが表示される。
【００６５】
このダイジェスト動画１０３ｂには、チャプタ２に保持されているデータの再生の開始時、即ち、チャプタ１と２のつなぎ目にある場面転換表示部６０５のデータが再生されたとき、場面転換効果として、額縁状のシンボル６０２が動画再生部１０５にオーバーレイされる。
【００６６】
図６に示すように、動画再生部１０５で再生されているダイジェスト動画用ビデオデータの切り替わり時に遷移効果や転換シンボル等の場面転換効果を付加するので、ユーザはこの切り替わりを容易に視認することができる。
【００６７】
図７は、図１のダイジェスト動画生成装置１００の第１の変形例の構成を概略的に示すブロック図である。
【００６８】
図７のダイジェスト動画生成装置１００ａは、その構成が図１のダイジェスト動画生成装置１００と基本的に同じであり、同じ構成要素については同一の符号を付して重複した説明を省略し、以下に異なる構成要素について説明する。
【００６９】
ダイジェスト動画生成装置１００ａは、ファイル名抽出回路２０３とスーパーインポーズ回路２０６の間に切替スイッチ７０１を、ビデオダイジェスト化回路２０７とビデオ符号化回路２１０の間に切替スイッチ７０２を備える。
【００７０】
切替スイッチ７０１はビデオ符号化回路２１０にも接続しており、スイッチがＯＮのときは、ファイル名抽出回路２０３でテキストデータとしたファイル名をスーパーインポーズ回路２０６に送信し、スイッチがＯＦＦのときは、このファイル名をスーパーインポーズ回路２０６に送信することなく、ビデオ符号化回路２１０に直接送信する。
【００７１】
切替スイッチ７０２も、切替スイッチ７０１と同様に、ビデオ符号化回路２１０にも接続しており、スイッチがＯＮのときは、ビデオダイジェスト化回路２０７でダイジェスト化されたビデオデータをスーパーインポーズ回路２０６に送信し、スイッチがＯＦＦのときは、このビデオデータをスーパーインポーズ回路２０６に送信することなく、ビデオ符号化回路２１０に直接送信する。
【００７２】
ユーザが動画再生部１０５にスーパーインポーズ部１０４を多重表示することを選択したとき、ダイジェスト動画生成装置１００ａは切替スイッチ７０１，７０２を共にＯＮにして、図１のダイジェスト動画生成装置１００と同一の構成とし、動画再生部１０５にスーパーインポーズ部１０４を多重表示するように設定する。一方、ユーザが動画再生部１０５にスーパーインポーズ部１０４を多重表示しないことを選択したとき、ダイジェスト動画生成装置１００ａは切替スイッチ７０１，７０２を共にＯＦＦにして、動画再生部１０５にスーパーインポーズ部１０４を多重表示しないように設定する。
【００７３】
図７に示すダイジェスト動画生成装置１００ａによれば、動画再生部１０５にスーパーインポーズ部１０４を多重表示するか否かの切り替えを簡易にすることができる。
【００７４】
図８は、図１のダイジェスト動画生成装置１００の第２の変形例の構成を概略的に示すブロック図である。
【００７５】
図８のダイジェスト動画生成装置１００ｂは、その構成が図１のダイジェスト動画生成装置１００と基本的に同じであり、同じ構成要素については同一の符号を付して重複した説明を省略し、以下に異なる構成要素について説明する。
【００７６】
ダイジェスト動画生成装置１００ｂは、ファイル名抽出回路２０３の代わりに付加情報抽出回路９１６とテキスト生成回路９１８を有し、また、テキスト生成回路９１８と接続する端子９１７を有する。
【００７７】
付加情報抽出回路９１６は、処理中の元動画データに予め記録されているタイトル情報等から成る付加情報を抽出し、テキスト生成回路９１８に供給する。
【００７８】
端子９１７は、外部から入力された言語設定をテキスト生成回路９１８に供給する。
【００７９】
テキスト生成回路９１８は、付加情報抽出回路９１６から供給される付加情報を、端子９１７から供給される言語情報に応じた言語としたテキスト情報を生成してスーパーインポーズ回路２０６に供給する。
【００８０】
本実施の形態における言語設定とは、テキスト生成回路９１８で生成されるテキスト情報の表示を日本語で行うか、英語で行うかの設定をいう。尚、端子９１７で設定される言語は日本語、英語に限定されるものでなく、仏語や独語等であってもよい。
【００８１】
図９は、図８のダイジェスト動画生成装置１００ｂにより実行されるダイジェスト動画表示処理を説明するのに用いられる図である。
【００８２】
図９におけるダイジェスト動画データ１０２ｃは、その構成が図２のダイジェスト動画データ１０２と基本的に同じであり、同じ構成要素については同一の符号を付して重複した説明を省略し、以下に異なる構成要素について説明する。
【００８３】
図９において、チャプタ１に「MOVIE_001.MPG」をファイル名とする元動画データのダイジェスト動画用ビデオデータが保持され、且つそのダイジェスト動画用ビデオデータに付加情報がスーパーインポーズされている場合であって、上記付加情報として付加情報抽出回路９１６から元画像データの日時情報が供給され、端子９１７から供給される言語設定が日本語設定であるとき、このスーパーインポーズされている付加情報は「２００４年１月１日」というテキストデータとなる。この場合に、チャプタ１にチャプタスキップされダイジェスト動画データ１０２ｃが再生されると、不図示の表示装置には、ファイル名がMOVIE_001.MPGである元動画データのダイジェスト動画用ビデオデータを再生する動画再生部１０５と、このダイジェスト動画用ビデオデータにスーパーインポーズされた付加情報「２００４年１月１日」を動画再生部１０５に多重表示するスーパーインポーズ部１０４ｃとから成るダイジェスト動画１０３ｃが表示される。また、動画再生部１０５で再生されるビデオデータと同期して、オーディオダイジェスト化回路２０８で生成されたダイジェスト動画用音声データが不図示のスピーカーで再生され、音声出力される。
【００８４】
図８及び図９に示すように、ダイジェスト動画生成装置１００ｂで生成されるダイジェスト動画データ１０２ｃのチャプタ１に保持されているデータを不図示の表示装置に再生すると、チャプタ１に保持されたダイジェスト動画用ビデオデータが動画再生部１０５で再生され、このダイジェスト動画用ビデオデータにスーパーインポーズされた付加情報「２００４年１月１日」が動画再生部１０５に多重表示されるスーパーインポーズ部１０４ｃで表示されるので、ユーザが記録媒体２０１中の複数の元動画データの内容把握を速やかに行うことができる。
【００８５】
ここで、図９の処理のように、送信回路２１５から供給される言語設定が日本語設定であるときは、ダイジェスト動画１０３ｃのスーパーインポーズ部１０４ｃには、図１０（ａ）に示すように、日本語表示された日時情報「２００４年１月１日」が付加情報として表示されるが、送信回路２１５から供給される言語設定が英語設定であるときは、図１０（ｂ）に示すように、英語表示された日時情報「Ｊａｎｕａｒｙ  １，２００４」が付加情報として表示される（図９で説明するダイジェスト動画処理の変形例）。
【００８６】
図１１は、図８のダイジェスト動画生成装置１００ｂの第１の変形例の構成を概略的に示すブロック図である。
【００８７】
図１１のダイジェスト動画生成装置１００ｃは、その構成が図８のダイジェスト動画生成装置１００ｂと基本的に同じであり、同じ構成要素については同一の符号を付して重複した説明を省略し、以下に異なる構成要素について説明する。
【００８８】
ダイジェスト動画生成装置１００ｃは、テキスト生成回路９１８とスーパーインポーズ回路２０６の間に切替スイッチ１１０１を、ビデオダイジェスト化回路２０７とビデオ符号化回路２１０の間に切替スイッチ１１０２を備える。
【００８９】
切替スイッチ１１０１は、ビデオ符号化回路２１０にも接続しており、スイッチがＯＮのときは、テキスト生成回路９１８で生成したテキスト情報をスーパーインポーズ回路２０６に送信し、スイッチがＯＦＦのときは、このファイル名をスーパーインポーズ回路２０６に送信することなく、ビデオ符号化回路２１０に直接送信する。
【００９０】
切替スイッチ１１０２も、切替スイッチ１１０１と同様に、ビデオ符号化回路２１０にも接続しており、スイッチがＯＮのときは、ビデオダイジェスト化回路２０７でダイジェスト化されたビデオデータをスーパーインポーズ回路２０６に送信し、スイッチがＯＦＦのときは、このビデオデータをスーパーインポーズ回路２０６に送信することなく、ビデオ符号化回路２１０に直接送信する。
【００９１】
ユーザが動画再生部１０５にスーパーインポーズ部１０４ｃを多重表示すること選択したとき、ダイジェスト動画生成装置１００ｃは切替スイッチ１１０１，１１０２を共にＯＮにして、図８のダイジェスト動画生成装置１００ｂと同一の構成とし、動画再生部１０５にスーパーインポーズ部１０４ｃを多重表示するように設定する。一方、ユーザが動画再生部１０５にスーパーインポーズ部１０４ｃを多重表示しないことを選択したとき、ダイジェスト動画生成装置１００ｃは切替スイッチ１１０１，１１０２を共にＯＦＦにして、動画再生部１０５にスーパーインポーズ部１０４ｃを多重表示しないように設定する。
【００９２】
図１１のダイジェスト動画生成装置１００ｃによれば、動画再生部１０５にスーパーインポーズ部１０４ｃを多重表示するか否かの切り替えを簡易にすることができる。
【００９３】
図１２は、図８のダイジェスト動画生成装置１００ｂの第２の変形例の構成を概略的に示すブロック図である。
【００９４】
図１２のダイジェスト動画生成装置１００ｅは、その構成が図８のダイジェスト動画生成装置１００ｂと基本的に同じであり、同じ構成要素については同一の符号を付して重複した説明を省略し、以下に異なる構成要素について説明する。
【００９５】
ダイジェスト動画生成装置１００ｅは、スーパーインポーズ回路２０６を有しておらず、テキスト生成回路９１８がチャプタ生成回路２１４と接続し、また、ビデオダイジェスト回路２０７がビデオ符号化回路２１０と接続する。
【００９６】
図１３は、図１２のダイジェスト動画生成装置１００ｅにより実行されるダイジェスト動画データ表示処理を説明するのに用いられる図である。
【００９７】
図１３におけるダイジェスト動画データ１０２ｅは、先頭にヘッダ部１２０３を有する点を除いて、その構成は、図２のダイジェスト動画データ１０２と基本的に同じであり、同じ構成要素については同一の符号を付して重複した説明を省略し、以下に異なる構成要素について説明する。
【００９８】
図１３において、ダイジェスト動画データ１０２ｅは、チャプタ生成回路２１４で生成されたチャプタ管理情報に基づき生成される元動画データ毎のチャプタを有しており、各チャプタにはダイジェスト動画用ビデオデータが保持されている。
【００９９】
このダイジェスト動画データ１０２ｅは、不図示の表示装置でそのデータを再生する時に、チャプタスキップができるよう構成されており、迅速に目的のチャプタ内に保持されているビデオデータの頭出しをすることができる。
【０１００】
また、ダイジェスト動画データ１０２ｅは、その先端にヘッダ部１２０３を有し、このヘッダ部１２０３は、チャプタ生成回路２１４で生成されたチャプタと対応づけられたチャプタ管理データ１２０４を有する。さらに、このチャプタ管理データ１２０４は、ダイジェスト動画用ビデオデータを保持する各チャプタの付加情報がエントリーされている付加情報エントリー部１２０５ａを有する。ここで、本実施の形態では、付加情報抽出回路９１６から上記付加情報として元画像データの日時情報が供給され、端子９１７から供給される言語設定が日本語設定である。従って、付加情報エントリー部１２０５ａにエントリーされている付加情報は「２００４年１月１日」というテキストデータである。
【０１０１】
例えば、図１３に示すように、チャプタ１にファイル名がMOVIE_001.MPGである元動画データのダイジェスト動画用ビデオデータが保持されているとき、チャプタ１にチャプタスキップされダイジェスト動画データ１０２ｅが再生されると、まず、この頭出しされたダイジェスト動画用ビデオデータが保持されているチャプタの付加情報である「２００４年１月１日」が付加情報エントリー部１２０５ａから抽出される。その後、不図示の表示装置には、ファイル名がMOVIE_001.MPGの元動画データのダイジェスト動画用ビデオデータを再生する動画再生部１０５と、上記付加情報エントリー部１２０５ａから抽出された付加情報「２００４年１月１日」を動画再生部１０５に多重表示するスーパーインポーズ部１０４ｅとから成るダイジェスト動画１０３ｅが表示される。また、動画再生部１０５で再生されるダイジェスト動画用ビデオデータと同期して、オーディオダイジェスト化回路２０８で生成されたダイジェスト動画用音声データが不図示のスピーカーで再生され、音声出力される。
【０１０２】
動画再生部１０５で再生されているダイジェスト動画用ビデオデータが切り替わったとき、その切り替わったダイジェスト動画用ビデオデータが保持されているチャプタの付加情報が付加情報エントリー部１２０５ａから抽出され、このスーパーインポーズ部１０４ｅで動画再生部１０５に多重表示される。
【０１０３】
図１２及び図１３に示すように、ダイジェスト動画生成装置１００ｅで生成されるダイジェスト動画データ１０２ｅのチャプタ１に保持されたデータを不図示の表示装置に再生すると、このチャプタの付加情報「２００４年１月１日」が付加情報エントリー部１２０５ａから抽出され、その後、チャプタ１に保持されたダイジェスト動画用ビデオデータが動画再生部１０５で再生され、上記抽出された付加情報「２００４年１月１日」が動画再生部１０５に多重表示されるスーパーインポーズ部１０４ｅで表示されるので、ダイジェスト動画生成装置１００ｅがスーパーインポーズ回路２０６を有していなくても、ユーザが記録媒体２０１中の複数の元動画データの内容把握を速やかに行うことができ、且つ、装置全体を小型化することができる。
【０１０４】
図１４は、図１のダイジェスト動画生成装置１００の第３の変形例の構成を概略的に示すブロック図である。
【０１０５】
図１４のダイジェスト動画生成装置１００ｄは、その構成が図１のダイジェスト動画生成装置１００と基本的に同じであり、同じ構成要素については同一の符号を付して重複した説明を省略し、以下に異なる構成要素について説明する。
【０１０６】
ダイジェスト動画生成装置１００ｄは、スーパーインポーズ回路２０６を有しておらず、ファイル名抽出回路２０３がチャプタ生成回路２１４と接続し、また、ビデオダイジェスト回路２０７がビデオ符号化回路２１０と接続する。
【０１０７】
図１５は、図１４のダイジェスト動画生成装置１００ｄにより実行されるダイジェスト動画表示処理を説明するのに用いられる図である。
【０１０８】
図１５におけるダイジェスト動画データ１０２ｄは、その構成が、上記ダイジェスト動画データ１０２ｅ（図１３）と基本的に同じであり、同じ構成要素については同一の符号を付して重複した説明を省略し、以下に異なる構成要素について説明する。
【０１０９】
図１５において、ダイジェスト動画データ１０２ｄは、チャプタ生成回路２１４で生成されたチャプタ管理情報に基づき生成される元動画データ毎のチャプタを有しており、各チャプタにはダイジェスト動画用ビデオデータが保持されている。
【０１１０】
このダイジェスト動画データ１０２ｄは、不図示の表示装置でそのデータを再生する時に、チャプタスキップができるよう構成されており、迅速に目的のチャプタ内に保持されているビデオデータの頭出しをすることができる。
【０１１１】
また、ダイジェスト動画データ１０２ｄは、その先端にヘッダ部１２０３を有し、このヘッダ部１２０３は、チャプタ生成回路２１４で生成されたチャプタと対応づけられたチャプタ管理データ１２０４を有する。さらに、このチャプタ管理データ１２０４は、ダイジェスト動画用ビデオデータを保持する各チャプタのチャプタ名がエントリーされているチャプタ名エントリー部１２０５を有する。
【０１１２】
例えば、図１５に示すように、チャプタ１にファイル名がMOVIE_001.MPGである元動画データのダイジェスト動画用ビデオデータが保持されているとき、チャプタ１にチャプタスキップされダイジェスト動画データ１０２ｄが再生されると、まず、この頭出しされたダイジェスト動画用ビデオデータが保持されているチャプタのチャプタ名である「チャプタ１」がチャプタ名エントリー部１２０５から抽出される。その後、不図示の表示装置には、ファイル名がMOVIE_001.MPGである元動画データのダイジェスト動画用ビデオデータを再生する動画再生部１０５と、上記チャプタ名エントリー部１２０５から抽出されたチャプタ名「チャプタ１」を動画再生部１０５に多重表示するスーパーインポーズ部１０４ｄとから成るダイジェスト動画１０３ｄが表示される。また、動画再生部１０５で再生されるダイジェスト動画用ビデオデータと同期して、オーディオダイジェスト化回路２０８で生成されたダイジェスト動画用音声データが不図示のスピーカーで再生され、音声出力される。
【０１１３】
動画再生部１０５で再生されているダイジェスト動画用ビデオデータが切り替わったとき、その切り替わったダイジェスト動画用ビデオデータが保持されているチャプタのチャプタ名がチャプタ名エントリー部１２０５から抽出され、このスーパーインポーズ部１０４ｄで動画再生部１０５に多重表示される。
【０１１４】
図１４及び図１５に示すように、ダイジェスト動画生成装置１００ｄで生成されるダイジェスト動画データ１０２ｄのチャプタ１に保持されたデータを不図示の表示装置に再生すると、このチャプタのチャプタ名「チャプタ１」がチャプタ名エントリー部１２０５から抽出され、その後、チャプタ１に保持されたダイジェスト動画用ビデオデータが動画再生部１０５で再生され、上記抽出されたチャプタ名「チャプタ１」が動画再生部１０５に多重表示されるスーパーインポーズ部１０４ｄで表示されるので、ダイジェスト動画生成装置１００ｄがスーパーインポーズ回路２０６を有していなくても、ユーザが記録媒体２０１中の複数の元動画データの内容把握を速やかに行うことができ、且つ、装置全体を小型化することができる。
【０１１５】
また、本発明の目的は、上記実施の形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【０１１６】
この場合、記憶媒体から読み出されたプログラムコード自体が前述した実施形態の機能を実現することになり、そのプログラムコードを記憶した記憶媒体は本発明を構成することになる。
【０１１７】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)等が実際の処理の一部または全部を行い、その処理によって前述した実施形態の機能が実現される場合も含まれることは言うまでもない。
【０１１８】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵ等が実際の処理の一部または全部を行い、その処理によって前述した実施形態の機能が実現される場合も含まれることは言うまでもない。
【０１１９】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【０１２０】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【０１２１】
【図１】本発明の実施の形態に係る動画処理装置としてのダイジェスト動画生成装置の構成を概略的に示すブロック図である。
【図２】図１のダイジェスト動画生成装置により実行されるダイジェスト動画表示処理を説明するのに用いられる図である。
【図３】図１におけるビデオダイジェスト化回路により実行されるビデオデータのダイジェスト化処理を説明するのに用いられる図であり、（ａ）は時間的に切り出してダイジェスト化する方法を示し、（ｂ）は画像サイズを縮小することによりダイジェスト化する方法を示す。
【図４】図２で説明するダイジェスト動画処理の第１の変形例を説明するのに用いられる図であり、（ａ）はファイル名を表示する場合、（ｂ）はタイトル名を表示する場合、（ｃ）はファイル名及びチャプタ名を表示する場合を示す。
【図５】図２で説明するダイジェスト動画処理の第２の変形例を説明するのに用いられる図である。
【図６】図２で説明するダイジェスト動画処理の第３の変形例を説明するのに用いられる図であり、（ａ）は場面転換効果として画面遷移部を表示する場合を示し、（ｂ）は、場面転換効果としてシンボルを表示する場合を示す。
【図７】図１のダイジェスト動画生成装置の第１の変形例の構成を概略的に示すブロック図である。
【図８】図１のダイジェスト動画生成装置の第２の変形例の構成を概略的に示すブロック図である。
【図９】図８のダイジェスト動画生成装置により実行されるダイジェスト動画表示処理を説明するのに用いられる図である。
【図１０】図９で説明するダイジェスト動画処理の変形例を説明するのに用いられる図であり、（ａ）は日本語表示する場合を示し、（ｂ）は英語表示をする場合を示す。
【図１１】図８のダイジェスト動画生成装置の第１の変形例の構成を概略的に示すブロック図である。
【図１２】図８のダイジェスト動画生成装置の第２の変形例の構成を概略的に示すブロック図である。
【図１３】図１２のダイジェスト動画生成装置により実行されるダイジェスト動画表示処理を説明するのに用いられる図である。
【図１４】図１のダイジェスト動画生成装置の第３の変形例の構成を概略的に示すブロック図である。
【図１５】図１４のダイジェスト動画生成装置により実行されるダイジェスト動画表示処理を説明するのに用いられる図である。
【図１６】従来の動画記録装置により実行されるサムネール一覧表示処理を説明するのに用いられる図である。
【符号の説明】
【０１２２】
１００  ダイジェスト動画生成装置
２０１  記録媒体
２０２  コンテンツ読み出し回路
２０４  ビデオ復号化回路
２０７  ビデオダイジェスト化回路
２０９  ダイジェスト生成制御回路
【図１】
2006050087.tif 000003
【図２】
2006050087.tif 000004
【図３】
2006050087.tif 000005
【図４】
2006050087.tif 000006
【図５】
2006050087.tif 000007
【図６】
2006050087.tif 000008
【図７】
2006050087.tif 000009
【図８】
2006050087.tif 000010
【図９】
2006050087.tif 000011
【図１０】
2006050087.tif 000012
【図１１】
2006050087.tif 000013
【図１２】
2006050087.tif 000014
【図１３】
2006050087.tif 000015
【図１４】
2006050087.tif 000016
【図１５】
2006050087.tif 000017
【図１６】
2006050087.tif 000018